(57)【特許請求の範囲】
【請求項１】
客から受けた注文を入力する注文入力装置であって、
該注文入力装置の姿勢を検出する姿勢検出手段と、該注文入力装置に加わる加速度を検出する加速度検出手段と、前記姿勢検出手段で検出した姿勢情報と、前記加速度検出手段で検出した加速度情報とを使用者の操作入力として認識する制御手段と、入力された注文情報を無線送信する無線制御部と、客の注文に係る情報を入力するためのバーコードリーダとを有する注文入力装置本体と、
前記注文入力装置本体を腕に装着するためのベルト状の装着手段と、
を備え、
前記制御手段は、前記姿勢検出手段が検出した姿勢情報を定期的に記憶し、前記加速度検出手段からの加速度情報から、前記注文入力装置が前記装着手段の長手方向に振動したと判断した場合、前記振動が生じる直前に記憶された前記姿勢情報に基づいてバーコードリーダの電源のオンオフを制御する
ことを特徴とする注文入力装置。
【請求項２】
前記制御手段は、前記加速度検出手段からの加速度情報から、前記注文入力装置が前記装着手段の長手方向に振動したと判断した場合であって、前記振動が生じる直前に記憶された前記姿勢情報が、前記注文入力装置が横向きを示す情報であった場合、バーコードリーダの電源のオンオフを制御することを特徴とする
請求項１に記載の注文入力装置。
【請求項３】
前記制御手段は、前記バーコードリーダから読み込んだメニュー情報と、前記加速度情報から認識した数量情報とに基いて注文データを生成することを特徴とする
請求項１または２に記載の注文入力装置。
【請求項４】
さらに、注文情報を表示する表示部を備え、
前記制御手段は、前記姿勢情報と前記加速度情報とに基いて前記表示部への表示内容を制御することを特徴とする
請求項１から３の何れかに記載の注文入力装置。
【発明の詳細な説明】
【０００１】
【発明の属する技術分野】
この発明は、飲食店向け注文データ管理装置において、接客担当者が使用する注文入力装置に関するものである。
【０００２】
【従来の技術】
従来の注文入力装置は、接客担当が注文を受けるとき片方の手で注文入力装置を保持し、メニューごとに割り付けられた注文入力装置のキーの中から、客から注文されたメニューに応じたキーをもう一方の手で入力し、注文を取り終わると注文入力装置の注文完了キーを押して、注文入力してからデータ制御装置に注文データを無線転送する仕組みになっている。
【０００３】
【発明が解決しようとする課題】
注文入力装置を腕時計型にして腕に保持すると両手は使えるようなるが、腕時計型にすることで表面積が小さくなりメニューの数だけキーを配置することは困難となり、また限られた表面積の中に表示装置を配置することから表示面積も限られていた。また腕時計型にして入力手段を補助するためバーコードリーダを装備しても、体積や重量の制限から電池寿命の課題があった。さらに腕に装着しても、もう一方の手で画面切換えのための操作が必要であった。特に配膳時など料理を持っている状況で表示データが更新されても、キー操作ができないため、その場で最新情報を見ることができなかった。
【０００４】
本発明の目的は、注文入力装置を腕時計型にし、腕の動きで注文入力装置の操作を行うことである。
【０００５】
【課題を解決するための手段】
上記課題を解決するための、本発明の注文入力装置は、該注文入力装置の姿勢を検出する姿勢検出手段と、該注文入力装置に加わる加速度を検出する加速度検出手段と、
前記姿勢検出手段で検出した姿勢情報と、前記加速度検出手段で検出した加速度情報とを、使用者の操作入力として認識する制御手段と、入力された注文情報を無線送信する無線制御部と、前記注文入力装置を腕に装着する装着手段とを備えることを特徴とする。
【０００６】
さらに、客の注文に係るメニュー情報を読み込むバーコードリーダを備え、前記制御手段は、前記加速度情報に基き前記バーコードリーダの電源を制御するように構成しても良い。
【０００７】
そして、前記制御手段は、前記バーコードリーダから読み込んだメニュー情報と、前記加速度情報から認識した数量情報とに基いて注文データを生成するようにしても良い。
【０００８】
また、注文情報を表示する表示部を備え、前記制御手段は、前記姿勢情報と、前記加速度情報とに基いて前記表示部への表示内容を制御するようにしても良い。
【０００９】
【発明の実施の形態】
以下、本発明の実施形態について説明する。
【００１０】
図１は、本発明にかかわる腕時計型注文入力装置の外形図で、図２は注文入力装置１のブロック図である。
【００１１】
注文入力装置１は５個の押しボタンキーと１つの十字型キーのキー入力部２とバーコードリーダ３の入力手段と、ＬＣＤモジュールを用いた表示部４と補助表示としてＬＥＤ５の表示手段を備え、注文管理装置と無線送受信を行う無線制御部６を備えることに加え、注文入力装置１の姿勢を検出する姿勢検出センサ７と前記注文入力装置に加えられた加速度を検出する加速度センサー８の入力手段を有する。
【００１２】
図５は姿勢検出センサ７の原理図で円盤形の中に球形の導電性金属の可動接点７１が自由に動くことができ、下部に上向き接点７２、上部に下向き接点７３、側面の周囲に横向き接点７４を有する。
【００１３】
図６は姿勢検出センサ７のブロック図で上向き接点７２、下向き接点７３、横向き接点７５のいづれかの接点がオンするとデコーダ７５で信号変換する。姿勢検出センサ７は注文入力装置１の姿勢により、表示部が上を向いているとき可動接点７１が上向き接点７２と接触して上向き接点７２をオンしデコーダ７５で信号変換して出力７６から０を出力し、表示部が横を向いているとき可動接点７１が横向き接点７４と接触して横向き接点７４をオンしデコーダ７５で信号変換して出力７６から１を出力し、表示部が下を向いているとき可動接点７１が下向き接点７３と接触して下向き接点７３をオンしデコーダ７５で信号変換して出力７６から２を出力する。
【００１４】
加速度センサ８は矢印１０の方向及び矢印１１の方向の加速度を検出する。注文入力装置１が矢印１０の方向へ振られると図３の加速度信号２０を出力し、矢印１１の方向に振られると図３の加速度信号２１を出力する。
【００１５】
図４はテーブル番号を本注文入力装置に入力するためにテーブルにバーコード３１が貼付されていることを示し、メニューシート３２にも料理品名に対応した料理番号を印刷したバーコード３３を印刷してあることを示し、注文時に本メニューシート３２のバーコード３３を注文入力装置１で読み込ませることで注文受付ができる。
【００１６】
以上の構成において、接客担当者はお客から注文を受けると、まず客席に貼られたテーブル番号を示すバーコード３１を読み込むため、注文入力装置１の姿勢を横にして上下に振る。
【００１７】
注文入力装置１の中央処理装置９は定期的に姿勢検出センサ７の出力を読み込んで、注文入力装置１の姿勢を検出する。注文入力装置１に矢印１０または矢印１１の加速度が加えられると加速度センサ８から出力されえた加速度信号２０または２１を中央処理装置９が検出して上下に振られたことを認識する。
【００１８】
中央処理装置９は注文入力装置１に加速度が加えられる直前の姿勢が姿勢検出センサの出力が１であることにより横方向だと判断すると、バーコードリーダ２の電源ＳＷ１２をオンする。バーコードリーダ２は常にスキャンニングする必要がなく必要なときのみ電源が供給されるので電池寿命を延ばす効果がある。
【００１９】
接客担当者は客が着席しているテーブルに貼られたバーコード３１をバーコードリーダ２で読み込んでテーブル番号を入力する。次に客がメニューシート３２で指定した料理に対応したバーコード３３を読み込んで入力する。例えばビールなどの飲み物のように、注文した料理の数量を指定する場合には注文入力装置１を上向きにして矢印１０の方向に振ると加速度センサー８から出力信号２０が出力される。中央処理装置９は出力信号２０のプラス方向の回数をカウントして注文個数を加算する。個数を多く入れすぎた場合は矢印１１の方向に振って出力信号２１のマイナス方向の振幅個数分注文数を減算する。入力した調理をキャンセルする場合は、注文入力装置１を下に向けてメニューシート３２のバーコード３３を読み込むと、中央処理装置９は、姿勢検出センサ７の出力が２であることから注文入力装置１の姿勢が下向きであると判断してバーコード入力に相当する料理番号が入力されていれば、その料理をキャンセル処理する。
【００２０】
入力が終わると再び注文入力装置１を横向きにして上下に振る。中央処理装置９は表裏センサー７の出力が１でバーコードリーダ３の電源ＳＷ１２がオン状態のときは電源ＳＷ１２をオフにして、注文入力装置１に格納されている注文データを確認するための表示を行う。接客担当は注文入力装置１の表示部４が小さくすべての注文データを表示できないため注文入力装置１を上向きにして矢印１０の方向に加速度を与える。中央処理装置９は、加速度センサー８からの出力が信号２０であれば矢印１０の方向に振られたと判断して信号２０のプラス方向の振幅回数をカウントして、カウント数分だけ画面をスクロールする。これによって小さな表示エリアでも注文データの確認ができる。
【００２１】
注文データの確認が終了すると、接客担当は注文処理装置１を横向きにし上下に素早く２回振って注文が終了したことを注文入力装置１に入力する。中央処理装置９は注文データ確認処理中に一定以上の加速度が短い時間に２回与えられ、しかも加速度が与えられる直前の姿勢検出センサ−７の出力が１であると判断すると、注文データの入力がすべて完了したものと判定して、無線制御部６からデータ制御装置に注文データを無線転送する。このように注文入力装置１に触れることなく注文を受けることができる。バーコードリーダ３の電源制御は、中央処理装置９での時間管理も併用して行う。
【００２２】
また、料理の品切れが発生した場合はデータ制御装置から注文入力装置１に品切れ情報が無線転送される。注文入力装置１は無線制御部６から品切れ情報を受信したことを中央処理装置９が判定して表示装置４に表示する。品切れ情報も表示部４が小さく一部しか表示できないので、接客担当者は注文入力装置１を上方向に向けて矢印１０の方向に振る。注文入力装置１は加速度センサ８から信号２０が出力され、中央処理装置９は信号２０のプラス方向の振幅回をカウントして、振幅数分表示をスクロールさせて、全品切れ情報を表示する。
【００２３】
なお、キー入力部２は、例外的な注文や本注文入力装置１の設定に用いたり、バーコードリーダ３や加速度センサー８の検出では補えない入力が発生したときに使用する。
【００２４】
【発明の効果】
以上説明したように、この発明によれば、接客担当が注文入力装置に触れることなく、注文データを受けることが可能になり、衛生的な注文データ管理装置が実現できる。また配膳途中で片手に料理を持っていても注文データの入力が可能なので客を待たせることがなくなる。
【図面の簡単な説明】
【図１】この発明の注文入力装置の一実施例である腕時計型注文入力装置の斜視図である。
【図２】この発明の注文入力装置のブロック図である。
【図３】注文入力装置を振ったときの加速度センサの出力波形である。
【図４】この発明の注文入力装置で注文を受ける場合のバーコード活用を例示する斜視図である。
【図５】この発明の注文入力装置の姿勢を検出する姿勢検出センサの構造を例示する斜視図である。
【図６】姿勢検出センサの回路構造を例示するブロック図である。
【符号の説明】
１  注文入力装置
３  バーコードリーダ
７  姿勢検出センサ
８  加速度センサ
【図１】
0003964175.tif 000002
【図２】
0003964175.tif 000003
【図３】
0003964175.tif 000004
【図４】
0003964175.tif 000005
【図５】
0003964175.tif 000006
【図６】
0003964175.tif 000007